(57)【特許請求の範囲】
【請求項１】
対話型スタイラスにおけるディスクリート回路多重化システムであって、当該ディスクリート回路多重化システムは、
スタイラス本体と、
該スタイラス本体に位置付けされた第１の電極及び第２の電極と、
前記第１の電極及び前記第２の電極に結合された共有送信サブシステムと、
該共有送信サブシステムと前記第１の電極との間に結合された第１のキャパシタと、
前記第１の電極と前記第１のキャパシタとの間に位置付けされた第１のノードを接地及び非接地状態にするように構成された第１のスイッチと、
前記共有送信サブシステムと前記第２の電極との間に結合された第２のキャパシタと、
前記第１の電極と前記第１のキャパシタとの間に位置付けされた第２のノードを接地状態及び非接地状態にするように構成された第２のスイッチと、
（ｉ）第１の時間間隔の間に、前記第１の電極を有効にし、且つ前記第２の電極を無効にすることによって、前記第１の電極を選択的に刺激し、（ｉｉ）第２の時間間隔の間に、前記第２の電極を有効にし、且つ前記第１の電極を無効にすることによって、前記第２の電極を選択的に刺激するように構成されたマイクロコントローラと、を有し、
前記第１及び第２の電極は、それぞれ、電圧パルスを前記共有送信サブシステムからそれぞれの電極に送信するのを可能にすることによって有効にされ、
前記第１及び第２の電極は、それぞれ、電圧パルスを前記共有送信サブシステムからそれぞれの電極に送信するのを防止することによって無効にされる、
ディスクリート回路多重化システム。
【請求項２】
前記マイクロコントローラは、前記第１のノードを接地することによって前記第１の電極を無効にし、且つ前記第１のノードをフローティングさせることによって前記第１の電極を有効にするように構成され、
前記マイクロコントローラは、前記第２のノードを接地することによって前記第２の電極を無効にし、且つ前記第２のノードをフローティングさせることによって前記第２の電極を有効にするように構成される、請求項１に記載のディスクリート回路多重化システム。
【請求項３】
前記第１の電極及び前記第２の電極から信号を受信するように構成された受信サブシステムをさらに有しており、前記マイクロコントローラは、そのような受信信号を処理して、前記共有送信サブシステムによって前記第１の電極及び前記第２の電極のどちらを選択的に刺激すべきかを決定するように構成される、請求項１に記載のディスクリート回路多重化システム。
【請求項４】
前記マイクロコントローラは、前記第１の電極及び前記第２の電極を逆に有効に及び無効にし、そのような逆動作の結果として前記受信サブシステムで受信した信号に基づいて、前記共有送信サブシステムによって前記第１の電極及び前記第２の電極のどちらを選択的に刺激すべきかを決定するように構成される、請求項３に記載のディスクリート回路多重化システム。
【請求項５】
前記マイクロコントローラは、
前記第１の電極が有効にされ、且つ前記第２の電極が無効にされているときに、前記受信サブシステムが閾値よりも大きい信号を受信した場合に、前記共有送信サブシステムによって前記第１の電極を選択的に刺激し、
前記第１の電極が無効にされ、且つ前記第２の電極が有効にされているときに、前記受信サブシステムが閾値より大きい信号を受信した場合に、前記共有送信サブシステムによって前記第２の電極を選択的に刺激するように構成される、請求項４に記載のディスクリート回路多重化システム。
【請求項６】
前記第１の電極は前記スタイラス本体の第１の端部に位置付けされ、前記第２の電極は前記スタイラス本体の第２の端部に位置付けされる、請求項１に記載のディスクリート回路多重化システム。
【請求項７】
前記第１の電極を使用する意図のユーザの決定に応じて、前記マイクロコントローラは、動作時に前記共有送信サブシステムが前記第１の電極を刺激するように、前記第２の電極を無効にし、且つ前記第１の電極を有効にするように構成され、
前記第２の電極を使用する意図のユーザの決定に応じて、前記マイクロコントローラは、動作時に前記共有送信サブシステムが前記第２の電極を刺激するように、前記第１の電極を無効にし、且つ前記第２の電極を有効にするように構成される、請求項１に記載のディスクリート回路多重化システム。
【請求項８】
前記第１の電極が前記第２の電極よりも対話型ディスプレイにより近いと判定されたことに応じて、前記マイクロコントローラは、動作時に前記共有送信サブシステムが前記第１の電極を刺激するように、前記第２の電極を無効にし、且つ前記第１の電極を有効にするように構成され、
前記第２の電極が前記第１の電極よりも対話型ディスプレイにより近いと判定されたことに応じて、前記マイクロコントローラは、動作時に前記共有送信サブシステムが前記第２の電極を刺激するように、前記第１の電極を無効にし、且つ前記第２の電極を有効にするように構成される、請求項１に記載のディスクリート回路多重化システム。
【請求項９】
前記第１の電極は、前記対話型スタイラスにインク動作モードを提供するように構成され、前記第２の電極は、前記対話型スタイラスに消去動作モードを提供するように構成される、請求項１に記載のディスクリート回路多重化システム。
【請求項１０】
第１の電極及び第２の電極を有する対話型スタイラスを動作させる方法であって、当該方法は、
前記第１の電極及び前記第２の電極に結合された受信サブシステムを介して、活性化(activity)閾値を超える信号を受信するステップと、
前記活性化閾値を超えることに応じて、前記第１の電極及び前記第２の電極を逆に有効及び無効にするステップと、
該逆に有効及び無効にするステップの間に、前記第１の電極及び前記第２の電極のどちらがアクティブ状態であるかを特定するために前記受信サブシステムで受信したレベルを読み取るステップと、
前記第１の電極及び前記第２の電極に結合された共有送信サブシステムからの波形を介して、前記特定されたアクティブ状態の電極を選択的に刺激するステップと、を含み、
前記共有送信サブシステムと前記第１の電極との間に第１のキャパシタが結合され、前記第１の電極は、前記第１のキャパシタと前記第１の電極との間の第１のノードを接地することによって無効にされ、且つ前記第１のノードをフローティングさせることによって有効にされ、
前記共有送信サブシステムと前記第２の電極との間に第２のキャパシタが結合され、前記第２の電極は、前記第２のキャパシタと前記第２の電極との間の第２のノードを接地することによって無効され、且つ前記第２のノードをフローティングにさせることによって有効にされる、
方法。
【請求項１１】
前記特定されたアクティブ状態の電極を選択的に刺激するステップは、前記特定されたアクティブ状態の電極を有効にし、前記第１の電極及び前記第２の電極の他方を無効にするステップを含む、請求項１０に記載の方法。
【請求項１２】
前記第１の電極は、前記対話型スタイラスにインク動作モードを提供するように構成され、前記第２の電極は、前記対話型スタイラスに消去動作モードを提供するように構成される、請求項１０に記載の方法。
【請求項１３】
前記第１の電極は前記対話型スタイラスの第１の端部に位置付けされ、前記第２の電極は前記対話型スタイラスの第２の端部に位置付けされる、請求項１０に記載の方法。
【請求項１４】
前記共有送信サブシステムが前記特定されたアクティブ状態の電極を刺激している間に、前記受信サブシステムと、前記第１の電極及び前記第２の電極との間のスイッチを無効にするステップをさらに含む、請求項１０に記載の方法。
【請求項１５】
対話型スタイラスにおけるディスクリート回路多重化システムであって、当該ディスクリート回路多重化システムは、
スタイラス本体と、
該スタイラス本体に位置付けされた第１の電極及び第２の電極と、
前記第１の電極及び前記第２の電極に結合された共有送信サブシステムと、
前記第１の電極と前記共有送信サブシステムとの間に結合された第１のキャパシタであって、該第１のキャパシタと前記第１の電極との間に位置付けされた第１のノードを含む第１のキャパシタと、
前記第２の電極と前記共有送信サブシステムとの間に結合された第２のキャパシタであって、該第２のキャパシタと前記第２の電極との間に位置付けされた第２のノードを含む第２のキャパシタと、
前記第１の電極及び前記第２の電極に結合された受信サブシステムと、
前記第１の電極及び前記第２の電極から前記受信サブシステム内で受信された信号に応じて、前記第１の電極及び前記第２の電極を選択的に接地及びフローティングさせることによって前記共有送信サブシステムから前記第１の電極及び前記第２の電極に選択的な送信波形を生じさせ、それにより、前記第１の電極及び前記第２の電極の一方のみを一度に刺激するように構成されたマイクロコントローラと、を有する、
ディスクリート回路多重化システム。
【請求項１６】
前記マイクロコントローラは、前記第１の電極及び前記第２の電極を逆に接地及びフローティングさせ、そのような逆動作の結果として前記受信サブシステム内で受信した信号に基づいて、前記第１の電極及び前記第２の電極のどちらを選択的に刺激すべきかを決定するように構成される、請求項１５に記載のディスクリート回路多重化システム。
【請求項１７】
前記第１の電極は、前記対話型スタイラスにインク動作モードを提供するように構成され、前記第２の電極は、前記対話型スタイラスに消去動作モードを提供するように構成される、請求項１５に記載のディスクリート回路多重化システム。
【発明の詳細な説明】
【技術分野】
【０００１】
本願発明は、ディスクリート回路多重化システムを有する対話型(interactive)スタイラスに関する。
【背景技術】
【０００２】
対話型タッチ感知式ディスプレイは、コンピュータ装置の幅広いアレイに使用されている。ある場合には、追加の機能を提供するために、指タッチ感知に加えてスタイラスを使用することが望ましい。追加機能のオプションは、電源、記憶装置、プロセッサ、無線トランシーバ等を使用するアクティブスタイラスによってさらに強化することができる。
【０００３】
タッチ感知式ディスプレイと共に使用される対話型スタイラスは、描画機能、消去機能、アプリケーション起動機能、及び／又は他のコマンド機能等の複数の機能を提供することができる。例えば、いくつかのスタイラスは、一端にインクチップと、他端に消去用チップとを含むことができる。スタイラスは、前述した機能を実施するための複数の電極を含むことができる。
【発明の概要】
【０００４】
この概要は、以下の詳細な説明でさらに説明する概念の選択を簡略化した形で紹介するために提供される。この概要は、特許請求の範囲に記載された主題の重要な特徴又は本質的な特徴を特定することを意図しておらず、ましてや特許請求の範囲に記載される主題の範囲を限定するために使用されることを意図していない。さらに、特許請求の範囲に記載される主題は、本開示のいずれかの部分に記載される任意の又は全ての欠点を解決する実装形態に限定されるものではない。
【０００５】
対話型スタイラスのディスクリート回路多重化システムが提供される。ディスクリート回路多重化システムは、スタイラス本体内に位置付けされた第１の電極及び第２の電極を含み、第１の電極及び第２の電極に共有送信サブシステムが結合される。この回路は、第１の電極又は第２の電極のいずれかを選択的に刺激するために、共有送信サブシステムから第１の電極及び第２の電極への波形の選択的送信を生じさせるように構成されたマイクロコントローラをさらに含む。この構成により、電極同士の間の送信及び他の回路の共有が可能になり、いくつかの設定では複雑性、コスト、及び電力消費を低減することができる。
【図面の簡単な説明】
【０００６】
【図１】本開示の一実施形態による例示的な対話型ディスプレイシステムの概略図である。
【図２】図１の対話型ディスプレイシステムの電極マトリックスの概略図である。
【図３】対話型ディスプレイシステムと共に使用され得る例示的な対話型スタイラスを示す。
【図４】図３に示される対話型スタイラスに含まれ得るディスクリート回路多重化システムを示す。
【図５】対話型スタイラスを操作する例示的な方法を示す。
【図６】対話型スタイラスを操作するための別の例示的な方法を示す。
【発明を実施するための形態】
【０００７】
図１は、本開示の一実施形態による例示的な対話型ディスプレイシステム１００を示す。対話型ディスプレイシステム１００は、複数のソースからの入力を同時に感知するように構成された対話型ディスプレイ装置１０２を含む。例えば、ディスプレイ装置１０２は、人間の指１０１によって加えられるタッチ入力だけでなく、１つ又は複数の入力装置によって加えられる入力も感知することができる。入力装置は、スタイラス１０４の形態であってもよく、又は別の適切なフォームファクタで構成してもよい。以下でより詳細に図示され且つ説明されるように、対話型ディスプレイ装置１０２での入力を受信することに応じて、適切なグラフィカル出力１０８を生成して表示することができる。
【０００８】
図２は、対話型ディスプレイシステム１００に含まれ、入力検出を容易にし、且つ他の機能を提供する例示的な電極マトリックス２００を概略的に示す。マトリックス２００は、複数の行電極２０２及び複数の列電極２０４を含む。行電極及び列電極は、互いに電気的に分離されており、どの電気的特性（例えば、電気容量）を監視して、タッチ入力及びスタイラス入力を検出するノード（例えば、ノード２０６）を形成する。
【０００９】
複数の行電極２０２は、行電極を様々な方法で駆動するように構成されたそれぞれの駆動回路２０８に電気的に結合してもよい。複数の列電極２０４は、複数の行電極２０２の駆動、スタイラス１０４による対話型ディスプレイ装置１０２への電圧印加、及び／又は指１０１のディスプレイへのタッチによって生じる列電極内の電流及び／又は電圧を検出し得るそれぞれの検出回路２１０に電気的に結合してもよい。あるいはまた、検出回路２１０を代わりに複数の行電極２０２に結合し、複数の列電極２０４を駆動回路２０８によって駆動するようにしてもよい。このように構成された電極マトリックス２００を使用して、ユーザの指からのタッチ入力を検出するだけでなく、スタイラス１０４等の入力装置の位置の少なくとも１つの座標を確認することもできる。図２に示される行及び列の数は、単に説明の目的だけであり、典型的なディスプレイでは、図２に示されるよりも多くの列及び行がマトリックス２００に含まれる。
【００１０】
図３は、例示的な対話型スタイラス３００を示す。スタイラス３００は、図１の対話型ディスプレイ装置１０２と共に使用してもよく、こうして、対話型スタイラス１０４の例示的な実装形態となる。スタイラス３００は、ディスプレイ装置１０２での描画、消去、アプリケーション起動等の様々な機能をトリガするように構成することができる。図示されるように、対話型スタイラス３００は、様々な内部コンポーネントを収容することができるスタイラス本体３０２を含む。これらの内部コンポーネントは、図４を参照して詳細に説明するディスクリート回路多重化システム４００を含むことができる。
【００１１】
対話型スタイラス３００は、第１の端部３０４及び第２の端部３０６を含む。いくつかの例示的な実装形態では、第１の端部３０４は、描画／インク機能／モードを提供するために使用されるインク用端部であり、第２の端部３０６は、消去機能／モードを提供するための消去用端部である。様々な追加の機能を提供するために、ボタン３１０等のアクチュエータも含めてもよい。本明細書における例は、描画（又はインキング(inking)）及び消去を繰り返し参照するが、本議論は、関連する対話型ディスプレイ装置１０２上のコンポーネントと静電的に相互作用する２つ以上のスタイラス電極を介して提供される機能に、一般的に適用可能である。
【００１２】
スタイラス３００及びマトリックス２００の電極は、送信モード及び受信モードで動作させることができる。スタイラスが送信モードで動作し、マトリックスが受信モードにあるときに、信号をマトリックス２００に容量結合するために、スタイラス３００の１つ又は複数の電極が駆動される。スタイラス電極（複数可）及びマトリックス２００の相対位置を感知するために、マトリックス２００で受信した信号を処理して、スタイラス３００と対話型ディスプレイ装置１０２との間の共有されたタイミング感知を確立／維持し、他のデータ等を送信するのを補助する。スタイラス３００が受信モードであり、マトリックス２００が送信しているときに、容量結合された信号をスタイラス３００の１つ又は複数の電極に送信するために、マトリックス電極の１つ又は複数が駆動される。この容量結合された信号は、位置感知、時間同期等を得るために同様に使用することができる。（例えば、トランシーバ１１０及び３１４によって実施されるような）装置同士の間の無線リンクを介して追加の対話及び／又はサポート対話を提供することができる。
【００１３】
図４は、図３の対話型スタイラス３００に含まれ得るディスクリート回路多重化システム４００の概略図を示す。システム４００は、マイクロコントローラ４０６と、様々なシステム構成要素に電圧／電力を供給する電源４３０とを含む。マイクロコントローラ４０６は、電極４０２及び４０４の静電結合した入力機能及び出力機能をサポートするために、送信サブシステム４０８及び受信サブシステム４２４の活性化(activity)を調整及び制御する。第１の電極４０２は、図３に示される、スタイラス本体３０２の第１端部３０４に位置付けしてもよい。第２の電極４０４は、図３に示される、スタイラス本体３０２の第２の端部３０６に位置付けしてもよい。このようにして、第１及び第２の電極（４０２及び４０４）を、対話型スタイラス３００の反対側に位置付けしてもよい。スタイラスの一端にインクモードを提供し、他端には消去モードを提供するために、このような構成が望ましい。
【００１４】
電源４３０は、本明細書に記載の機能をサポートするために様々な方法で構成することができる。描かれた例では、電源４３０は、リチウムイオンバッテリー又は他の適切なバッテリータイプであり得るバッテリー４２２を含む。バッテリー４２２は、３．７Ｖの公称電圧を有することができるが、他の電圧レベルを所与の設定に応じて適切に使用してもよい。電源４３０は、バッテリー４２２に結合され、（バッテリーからの）入力４３４を受け取り、システム内の他の構成要素に電力を供給するために電圧ＶＤＤを生成する出力４３６を提供する電力供給装置４３２をさらに含むことができる。他の例では、バッテリーが特定の化学作用(chemistry)を有する場合に、電源４３０から電力供給装置４３２を省略することができ、システム内の構成要素（すなわち、パルス発生器、マイクロコントローラ等）は、バッテリーから直接的に供給された電圧／電流で動作するように選択される。
【００１５】
一般に、マイクロコントローラ４０６によって、スタイラス３００を受信モード又は送信モードのいずれかで動作させる。以下で詳細に説明するように、送信中に、送信サブシステム４０８によって生成された電圧パルスを使用して、第１の電極４０２又は第２の電極４０４のいずれかを選択的に刺激し、送信サブシステムによって送信されたパルスが受信サブシステムに受信されるのを防止するスイッチの動作によって、受信サブシステム４２４が切り離される。受信モードの間に、送信サブシステムは非アクティブ状態であり、受信サブシステムは、マトリックス２００が刺激された結果として、電極４０２及び４０４に容量結合された信号を受信し処理するようにスイッチオンされる。
【００１６】
図４は、スタイラス電極の１つに対する送信／受信機能性を具体的に示している。具体的には、第１の電極４０２は、ディスプレイ装置コンポーネント４４０との間で信号を送受信するように示されている。ディスプレイ装置コンポーネント４４０は、対話型ディスプレイ装置１０２に含めてもよく、図２に関して議論した電極及び検出／駆動回路を含んでもよい。他の電極（例えば、第２の電極４０４）も、ディスプレイ装置コンポーネント４４０と静電的に相互作用することができることが理解されるだろう。
【００１７】
描かれた例では、送信コンポーネント（例えば、送信サブシステム４０８）は、電極４０２と４０４との間で共有される。多くの場合に、コンポーネントのこのような共有は、スタイラス内の複雑性、コスト、及び電力消費を低減することができる。共有は、様々なスイッチングトポロジ及び動作によって促進することができる。図４の例では、システム４００は、第１のキャパシタ４１２に結合された第１のスイッチ４１０と、第２のキャパシタ４１６に結合された第２のスイッチ４１４とを含む。より具体的には、第１のスイッチ４１０は、第１の電極４２０と第１のキャパシタ４１２との間に結合され、第２のスイッチ４１４は、第２の電極４０４と第２のキャパシタ４１６との間に結合される。
【００１８】
第１のスイッチ４１０は、マイクロコントローラ４０６によって制御され、電極４０２と、（キャパシタ４１２と電極４０２との間に位置付けされた）ノード４８０とを選択的に接地及び非接地にする。第１のスイッチ４１０が電極／ノードを接地するように動作されるときに、電極４０２は無効にされる(disabled)。第１のスイッチ４１０がオフにされると、電極４０２は非接地状態となり、動作のために有効にされる(enabled)。有効にされた電極は、（図２のマトリックス２００との間で）信号を送受信することができる一方、無効にされた電極は、送受信信号の振幅／能力が大幅に低減される。さらに、スイッチ（４１０及び４１４）の１つを接地することによって電極の一方を無効にすると、対応するキャパシタ（４１２及び４１６）によって接地への電流分割経路が形成され、この分割経路によって、アクティブ状態の電極との間で送られ且つ受け取られる電流量が低減する。しかしながら、受信信号の場合に、到来する帯域内(in-band)雑音は同じ量だけ減衰され、それによって所望の信号対雑音比が維持される。無効にされた電極に起因する電流分割経路による信号損失は、本明細書でより詳細に説明する、増幅器４２０の利得を増大させることによって、一例では、必要な場合に、パルス発生器４１８の電圧出力を増大させることによって補償することができる。
【００１９】
第２のスイッチ４１４も、マイクロコントローラ４０６によっても制御される。第２のスイッチ４１４は、電極４０４及びノード４８２を選択的に接地及びフローティングさせるように動作する。接地することによって、電極４０４が無効になり、フローティングさせることによって、電極４０４が有効になる。電流分割（器）、減衰、ＳＮＲ等に関する上記議論は、第２スイッチ４１４及びその関連する構成要素の動作に等しく当てはまる。
【００２０】
送信中に、所望の電極（４０２又は４０４）が有効にされ、マイクロコントローラ４０６の制御下でパルス発生器４１８から比較的高い電圧パルスが供給される。これにより、有効にされた電極の望ましい刺激が提供され、（位置感知、時間同期等のために）適切な信号を電極マトリックス２００に容量結合させる。異なるスイッチモード電源トポロジーを使用して、必要な電圧を生成し、ブーストコンバータ、フライバックコンバータ等のパルス発生器からのパルスのタイミングを制御することができる。高電圧を発生させる他の方法を用いてもよい。例えば、チャージポンプ回路を使用してもよい。以下に説明するように、様々な方法を使用して、どの電極を送信中に有効にするかを決定することができる。約１００ボルトの振幅の電圧パルスを使用してもよいが、マトリックス２００の受信回路に所望の信号を提供するために他のレベルを使用してもよい。第１及び第２のスイッチ４１０及び４１４は、典型的には、パルス発生器４１８によって生成された比較的高い電圧に耐えるように構成される。図示されるように、適切な値の抵抗器４１９を、第１及び第２のスイッチの有効な端子に結合してもよい。また、接地に対する更なる寄生容量に起因する回路内のエネルギー損失を低減するために、典型的に、キャパシタ４１２及び４１６をそれぞれの電極に近接／隣接して配置するのが望ましい。
【００２１】
キャパシタ４１２及び４１６の値は変化し得る。選択された電極が選択的な刺激のために有効にされるときに、その関連するキャパシタに比較的大きな容量を持たせることは、送信された電圧パルスの大部分が有効にされた電極で受け取られ、所望の信号強度を提供するので、望ましい。しかしながら、図示の例では、このキャパシタは、その関連する電極が無効にされるときに（すなわち、他方の電極が有効にされ、刺激されるときに）、接地への電流分割経路も形成する。これは、より小さな容量が使用された場合と比較して、送信サイクル中の全体的な効率を低下させる。なぜなら、より大きな総容量を所定の電圧まで充電するためにより多くのエネルギーを必要とするからである。典型的には、両方のキャパシタは、同じサイズであり、これらの検討事項をバランスさせる値を有するように選択される。いくつかの設定では、パルス発生器４１８によって送出される振幅の約９０％が有効にされた電極で受け取られるような容量を選択することが望ましい場合がある。
【００２２】
更なる例では、各スイッチ／キャパシタ構成（すなわち、４１０／４１２及び４１４／４１６）をハイサイド・スイッチ（例えば、ＦＥＴスイッチ）と置き換えることができる。この代替構成では、ハイサイド・スイッチを電極（４０２及び４０４）と直列に結合し、マイクロコントローラ４０６からの信号によって動作させることができる。ハイサイド・スイッチをいくつかの設定で使用することにより、電流分割器により高いインピーダンスを提供することによりシステムの効率を向上させ、エネルギー損失を低減する。
【００２３】
スタイラスは、複数のスタイラス電極によって共有される受信コンポーネントを含むように構成してもよい。位置検出、同期等に使用される信号を受信することに加えて、受信コンポーネントを使用して、送信モード中にどのスタイラス電極を有効にするかを決定する際の助けとすることができる。特に図４の例を再び参照すると、システム４００は、第１のキャパシタ４１２及び第２のキャパシタ４１６を介してスタイラス電極に結合された増幅器４２０（例えば、トランスインピーダンス増幅器）を有する受信サブシステム４２４を含む。こうして、増幅器４２０は、（どちらか又は両方が有効にされたときに）第１の電極４０２及び第２の電極４０４の両方から静電的に結合した信号を受信するように構成され、その信号はそれぞれキャパシタ４１２及びキャパシタ４１６を介して又はこれを横切って移動する。受信サブシステム４２４は、低入力インピーダンス電流調整回路として動作するように構成してもよい。さらに、増幅器４２０は、第１の電極４０２又は第２の電極４０４のいずれかから入来する電流パルス（例えば、高周波電流パルス）を適宜変換、フィルタ処理、及び／又は増幅するように構成してもよい。
【００２４】
図示の例では、受信サブシステム４２４は、増幅器４２０に結合されたアナログ／デジタル変換器（ADC）４２６も含む。こうして、ＡＤＣ４２６は、増幅器４２０からアナログ信号を受信し、マイクロコントローラ４０６が解釈するためのデジタル信号を提供するように構成される。別個の構成要素として図示されているが、受信サブシステムの一部又は全部をマイクロコントローラ４０６に組み込んでもよい。
【００２５】
第３のスイッチ４２８を、受信サブシステム４２４に含めてもよい。スイッチ４２８は、ハイサイド系(series)スイッチとして、又は他の適切な構成で実装することができる。図示の例では、スイッチ４２８は、増幅器４２０と、第１及び第２のキャパシタ（４１２及び４１６）との間に位置付けされ、それらの間に結合される。スイッチ４２８は、マイクロコントローラ４０６によって制御され、受信サブシステム４２４を第１及び第２のキャパシタ（４１２及び４１６）、従って第１及び第２の電極（４０２及び４０４）から選択的に接続及び接続解除する。このようにして、例えばスタイラス電極の１つがパルス発生器４１８によって刺激され、信号をマトリックス２００に容量結合させる場合に、回路の受信機能は、所望の時間間隔で無効にすることができる。また、示されるように、スイッチ４２８を使用して、受信サブシステム４２４を送信サブシステム４０８から分離し、それによってスタイラス電極の送信動作中に、送信電流パルスが受信サブシステムに結合されないようにする。
【００２６】
説明したように、マイクロコントローラ４０６は、第１のスイッチ４１０、第２のスイッチ４１４、受信サブシステム４２４（例えば、第３のスイッチ４２８）、及び送信サブシステム４０８（例えば、パルス発生器４１８）の動作を様々に制御するように構成される。所望の制御／スイッチングを提供するために、汎用入力／出力（GPIOs）をマイクロコントローラ４０６に設けてもよい。具体的には、図示の例では、マイクロコントローラは、送信サブシステム４０８（例えば、パルス発生器４１８）に結合した第１のＧＰＩＯ４５０、受信サブシステム４２４（例えば、第３のスイッチ４２８）に結合した第２のＧＰＩＯ４５２、第２のスイッチ４１４に結合した第３のＧＰＩＯ４５４、及び第１のスイッチ４１０に結合した第４のＧＰＩＯ４５６を含む。
【００２７】
上述したように、スタイラス３００を使用して、信号をマトリックス２００に静電的に送信するときに、マイクロコントローラ４０６（及び／又はスタイラス３００及び／又はディスプレイ装置１０２における他の構成要素）を使用して、電極４０２及び４０４のどちらを刺激すべきかを最初に決定する。より詳細に説明するように、この決定は、第１及び第２の電極から受信サブシステムで受信した信号を処理することによって行うことができる。この決定に応じて、共有送信回路からの信号が動作している電極に導かれる。例えば、ユーザが（例えば、スタイラス３００の一端を用いてインキング／書き込み機能を実行するために）第１の電極４０２を使用しようとする場合に、マイクロコントローラ４０６によって、スイッチ４１０及び４１４を操作して、ノード４８０をフローティングさせ（電極４０２を有効にし）、ノード４８２を接地させる（電極４０４を無効にする）。逆に、例えば、ユーザが消去動作のために他端／電極を使用しようとする場合に、マイクロコントローラ４０６によって、反対の方法でスイッチを操作して、送信された波形によって代わりに電極４０４を刺激する。このようにして、ユーザが望む電極（複数可）のみに刺激が提供される。
【００２８】
第１の電極４０２又は第２の電極４０４を活性化させるユーザの意図は、対話型ディスプレイ装置（例えば、対話型ディスプレイ装置１０２）への電極の近接度に基づいて決定してもよい。一例では、スイッチ４１０、４１４、及び４２８の状態を制御して、どの電極が対話型ディスプレイ装置により近いかを決定する。これらの状態操作によって、受信サブシステム４２４で受信した信号を変化させ、受信したレベルをマイクロコントローラ４０６によって解釈／処理して、どの電極が対話型ディスプレイにより近いかを決定する。
【００２９】
近接度検出の間に、送信サブシステム４０８及びパルス発生器４１８は非アクティブ状態にされ、スイッチ４２８は、電極を介して受信した信号を受信サブシステム４２４及び／又はマイクロコントローラ４０６で検出できるように閉じられる。最初に、両方の電極４０２及び４０４が（例えば、ノード４８０及び４８２をフローティングさせることによって）有効にされる一方、受信サブシステム４２４は、電極における活性化のいくつかの最小表示(indication)、例えば、ＡＤＣ４２６で感知された、いくつかの活性化閾値を上回るレベルを「聴く」。このような表示を受信したときに、共有される受信コンポーネントのため及び両方の電極が有効にされているため、活性化が第１の電極４０２によって又は第２の電極４０４によって受信された信号によるものであるかどうかは、当初は分かっていない。以下に説明するように、マイクロコントローラ４０６は、電極を逆に有効にして、どの電極がアクティブ状態であるかを決定することができる（次に、その電極が、アクティブ状態であり、及び／又はディスプレイ装置に、例えばマトリックス２００により近接しているという決定を可能にする）。
【００３０】
具体的には、図示の例では、マイクロコントローラ４０６は、第１及び第２の電極（４０２及び４０４）を逆に有効に及び無効にする一方で、受信サブシステムがスイッチ４２８を用いて有効にされたままであるように構成される。この逆転動作は、（１）第１の時間間隔の間に第１のスイッチ４１０を閉じ、第２のスイッチ４１４を開くこと、（２）第２の時間間隔の間に第１のスイッチ４１０を開き、第２のスイッチ４１４を閉じることの一方又は両方を含み得る。これらの２つの時間間隔中に受信サブシステム４２４によって受信した信号、例えば、マトリックス２００の１つ又は複数の電極を駆動した結果としての信号は、どの電極がマトリックスにより近いかを決定するために解析される。いくつかの例では、第１の間隔でテストした直後に決定を行ってもよい。例えば、第１の電極４０２が有効にされ、第２の電極４０４が無効にされているときに、十分な活性化が検出された場合に、第１の電極４０２がインバウンド活性化(inbound activity)の原因であると直ちに想定する処理フローを実施することができる。
【００３１】
閾値評価を採用することができ、特に、スイッチ／電極の逆動作を使用して、マイクロコントローラ４０６を有効にして、２つの電極４０２及び４０４のうちのどちらが閾値よりも大きな活性化メトリックを有する信号をアクティブに受信しているかを判定することができる。例えば、第１の電極４０２が無効にされ、第２の電極４０４が有効にされている間に、受信サブシステム４２４が閾値より大きな振幅を有する信号を受信した場合に、（１）第２の電極４０４がアクティブ状態である（例えば、ディスプレイ装置の電極マトリックスに近接する又は接触する）一方、（２）ユーザが第２の電極４０４を使用することを意図していることを推測することができる。これとは逆に、第１の電極４０２が有効にされ、第２の電極４０４が無効にされている間に、受信サブシステム４２４が閾値より大きな振幅を有する信号を受信した場合に、逆に、ユーザがより近接した第１の電極４０２を使用することを意図していると推測することができる。このような判定が行われ、上述したように、スイッチ４１０及び４１４は、送信サブシステム４０８と協調して制御され、それによって特定されたアクティブ状態の電極のみが送信動作中に刺激される。
【００３２】
上記の例によって、単一の送信サブシステムを複数の電極の間で共有するのを可能にすることが理解されるであろう。具体的には、説明したマイクロコントローラ、受信サブシステム、及び関連するスイッチの動作によって、パルス発生器のインテリジェント制御共有を可能にする。いくつかの設定では、これは、複数のスタイラス電極をサポートすることに関連するコスト、複雑性、及び電力消費を低減することができる。
【００３３】
図５は、対話型スタイラスを操作するための方法５００を示す。方法５００は、図１〜図４に関して上述した対話型スタイラスの操作を通じて実施することができ、又は他の適切な対話型スタイラスを介して実施してもよい。
【００３４】
ステップ５０２は、受信動作モード中に行われ、このステップ５０２は、第１のスタイラス電極及び第２のスタイラス電極を逆に有効及び無効にするステップを含む。具体的には、逆動作は、（１）第１の間隔で第２の電極を無効にしている間に第１の電極を有効にするステップと、（２）第２の間隔で第２の電極を有効にしている間に第１の電極を無効にするステップとを含む。典型的には、図に示され、上の例に説明されるように、これは、電極での一般的な活性化の何らかの表示、例えばある閾値を超える信号を最初に受信することに応じて、行われる。例えば、両方の電極を最初に有効にしてもよく、他にスタイラス電極上に存在するあらゆる信号を受信サブシステムに供給するようにシステムを構成してもよい。次に、受信サブシステムがある閾値レベルを超える信号を検出することに応じて、逆動作をトリガすることができる。その時点で、システムは、どの電極がインバウンド信号の原因であったかを知ることができない。次に、ステップ５０２のトリガされた逆動作が実行され、どの電極がしきい値を超えているかを確認する。
【００３５】
ステップ５０２を続けると、図４に関連して上述したように有効化及び無効化を行うことができる。特に、スイッチを操作して電極をフローティング／接地することによって、所与の電極を有効及び無効にし得る。そして、多くの場合に、フローティング／接地されたノードを、電極と、システム内の他の回路に結合されたキャパシタ（例えば、図４のキャパシタ４１２及び４１６）との間に位置付けすることがさらに望ましい。
【００３６】
５０４において、この方法は、２つの電極のうちのどちらが活性化の表示の原因であるかを決定するステップを含む。具体的には、これは、ステップ５０２の複数の間隔の一方又は両方の間に存在する（例えば、受信サブシステム４２４での）レベルを評価することによって実施してもよい。第１の電極が有効にされ、第２の電極が無効にされているときに、ある閾値より大きい振幅を有する信号が存在する場合に、第１の電極がアクティブ状態の電極である（例えば、第２の電極よりも対話型ディスプレイ装置により近い）と推測することができる。逆に、第２の電極が有効にされ、第１の電極が無効にされているときに、閾値を超えた場合に、第２の電極がアクティブ状態であると推測される。そして、上述したように、処理は、１つの逆にした電極状態を評価した後に、すなわち複数の電極の逆の有効化に関連する（複数の）レベルを評価する必要もなく、アクティブ状態の電極を特定するように実施することができる。
【００３７】
ステップ５０６及び５０８は、送信動作モードを準備するために実行することができる。具体的には、第２の電極がアクティブ状態であると判定された場合に、５０６において、第１の電極が無効にされ、第２の電極が有効にされる。上述したように、無効化は、（例えば、スイッチを用いて）電極を接地することによって、より具体的には、電極と、（この電極と残りのスタイラス回路との間に結合された）キャパシタとの間に位置付けされたノードを接地するようにスイッチを操作することによって、行われる。有効化は、電極をフローティングさせる（接地から電極を切り離す）ことによって、行われる。逆に、ステップ５０８は、他方の電極がアクティブ状態であると判定された場合の動作を示す。こうして、アクティブ状態であると判定された電極は、送信モード中に（例えば、図４を参照して説明したようなパルス発生器の動作を介して）適切に駆動されるように有効にされる。
【００３８】
５１０において、この方法は、電圧パルスが第１及び第２の電極に選択的に送信される送信動作モードを含む。上述したように、選択的送信は、刺激すべき電極のみを有効にすることによってもたらされる。従って、５１２に示されるように、この方法は、一方の電極を有効にし、他方の電極を無効にすること（すなわち、アクティブ状態であると判定された電極に応じてステップ５０６又は５０８を実行すること）を含む。５１４において、電圧パルスが送信され、電極の逆の有効化によって、複数の電極のうちの１つのみの選択的な刺激を生じさせる。
【００３９】
上述したように、電圧パルスを選択的に送信することは、対話型スタイラスの動作条件に基づいて、第１の電極又は第２の電極のいずれかに電圧パルスを送信することを含むことができる。一例では、動作条件はスタイラスの位置に基づいており、すなわち、電圧パルスは、関連する対話型ディスプレイ装置により近いか又は接触しているスタイラス端部／電極に送信される。別の例では、動作条件は、ユーザの意図に関する推論を含むことができ、すなわち、ユーザがその電極を使用しようという決定に基づいて、パルスが１つの電極に送信される。典型的には、複数の電極のうちの１つで比較的高いインバウンド信号強度を検出するように、（図４のように）受信サブシステムについて説明した使用によって意図が推測されるが、意図を推測する他の方法を使用することもできる。例えば、対話型ディスプレイ装置は、アプリケーションの必要性に基づいてスタイラス電極を選択的に有効又は無効にするための無線リンク等の別の通信チャネルを使用することができ、或いは既知の向きのデジタイザを使用した既知の向きのスタイラス（例えば、その向きは、加速度計又はコンパスを使用して決定される）は、デジタイザの方向を指す電極を選択することができる。
【００４０】
方法５００は、図１〜図４に示されたシステム以外のシステムに関連して実行してもよいが、いくつかの設定では、同様の利益が得られる。例えば、どの電極がアクティブ状態であるかを決定し、共有ソースから供給される電圧パルスによって選択的にそのアクティブ状態の電極を刺激することにより、アクティブ状態のスタイラスのコスト、複雑性、及び電力消費を低減することができる。
【００４１】
図６は、対話型スタイラスを操作するための別の方法６００を示す。方法６００は、図１〜図４に関して上述した対話型スタイラスの操作によって実施してもよく、又は他の適切な対話型スタイラスを介して実施してもよい。つまり、この方法は、（１）第１のスイッチを用いて選択的に有効にされ得る第１の電極と、（２）第２のスイッチを用いて選択的に有効にされ得る第２の電極と、（３）第３のスイッチの操作によって電極に選択的に結合され得る受信サブシステムと、（４）第１及び第２の電極に電圧パルスを供給するためのパルス発生器と、を企図する。
【００４２】
６０２において、パルス発生器は、（システムが「リスニング」モード又は受信モードで動作しているため）無効にされる。６０４において、この方法は、例えばそれらの関連するスイッチを操作することによって、第１及び第２の電極を有効にするステップを含む。６０６において、受信システムは、例えばその関連するスイッチを操作することによって、電極に結合される。６０８において、（例えば、ＡＤＣからの出力を介して）受信サブシステムでレベルが読み取られ、６１０において、活性化閾値を超えたかどうかについての評価が行われる。活性化閾値を超えると、これは無視できない信号が第１の電極又は第２の電極のいずれか又は両方に容量結合された結果であると考えられる。しかしながら、両方の電極が有効にされ、共有受信サブシステムに繰入られるので、どの電極が閾値を超える信号を生成しているかは分からない。
【００４３】
従って、一旦閾値を超えると、この方法は、電極を逆に有効にして、閾値を超える原因となる電極を決定する。例えば、６１２及び６１４に示されるように、第２の電極のみが無効にされ、受信システムでレベルが再び読み取られる。レベルが閾値を超える場合（ステップ６１６）に、信号の活性化は、第１の電極に容量結合される信号によるものであると推測することができる。次に、この方法は、６２４に進み、特定されたスタイラス電極とのを更なるスタイラス動作を実施することができ、例えば他の電極と共有されたパルス発生器からのパルスによって個別にその特定されたスタイラス電極を刺激することができる。閾値を超えない場合に、処理は、第２の電極のテストに進むことができる。具体的には、６１８において、第１の電極が無効にされる一方、第２の電極が有効にされ、受信サブシステムにおいてレベルが再び読み取られる（ステップ６２０）。閾値を超えた場合に、信号活性化が第２の電極に容量結合された信号によるものと推定され、６２４において、処理は、特定されたアクティブ状態の電極として第２の電極を使用し続ける。いずれのテストでも検出された閾値活性化レベルが得られない場合に、処理フローは、ステップ６０２、６０４、６０６、及び６０８を参照して説明した最初のリスニング動作に戻ることができる。
【００４４】
本明細書で説明した構成及び／又はアプローチは、本質的に例示的であり、これらの特定の実施形態又は実施例は、多くの変形形態が可能であるため、限定的な意味にみなすべきではないことが理解されるだろう。本明細書で説明した特定のルーチン又は方法は、任意の数の処理戦略のうちの１つ又は複数を表すことができる。このように、図示及び／又は説明した様々な動作は、図示及び／又は説明した順序で、他の順序で、並列に実行してもよく、又は省略してもよい。同様に、上述した処理の順序を変更してもよい。
【００４５】
本開示の主題は、本明細書に開示された様々なプロセス、システム及び構成、並びに他の特徴、機能、動作、及び／又は特性の新規且つ自明でない全ての組合せ及びサブ組合せ、だけでなくそれらのいずれか及び全ての均等物も含む。
【００４６】
本開示の主題は、以下の段落でさらに説明される。一態様によれば、対話型スタイラスのディスクリート回路多重化システムが提供される。ディスクリート回路多重化システムは、スタイラス本体と；このスタイラス本体に位置付けされた第１の電極及び第２の電極と；第１の電極及び第２の電極に結合された共有送信サブシステムと；共有送信サブシステムから第１の電極及び第２の電極への波形の選択的送信を生じさせて、第１の電極又は第２の電極のいずれかを選択的に刺激するように構成されたマイクロコントローラと；を含む。
【００４７】
この態様では、マイクロコントローラは、（ｉ）第１の電極を有効にし、且つ第２の電極を無効にすることによって、第１の電極を選択的に刺激し、（ｉｉ）第２の電極を有効にし、且つ第１の電極を無効にすることによって、第２の電極を選択的に刺激する。この態様では、ディスクリート回路多重化システムは、共有送信サブシステムと第１の電極との間に結合された第１のキャパシタであって、マイクロコントローラは、第１のキャパシタと第１の電極との間に位置付けされた第１のノードを接地することによって第１の電極を無効にし、且つ第１のノードをフローティングにすることによって第１の電極を有効にするように構成される、第１のキャパシタと；共有送信サブシステムと第２の電極との間に結合された第２のキャパシタであって、マイクロコントローラは、第２のキャパシタと第２の電極との間に位置付けされた第２のノードを接地することによって第２の電極を無効にし、且つ第２のノードをフローティングさせることによって第２の電極を有効にするように構成される、第２のキャパシタと；をさらに含む。
【００４８】
この態様では、ディスクリート回路多重化システムは、第１の電極及び第２の電極から信号を受信するように構成された受信サブシステムをさらに含み、マイクロコントローラは、そのような受信信号を処理して、共有送信サブシステムによって第１の電極及び第２の電極のどちらを選択的に刺激すべきかを決定する。
【００４９】
この態様では、マイクロコントローラは、第１の電極及び第２の電極を逆に有効及び無効にし、そのような逆動作の結果として受信サブシステムで受信した信号に基づいて、共有送信サブシステムによって第１の電極及び第２の電極のどちらを選択的に刺激すべきか決定するように構成される。
【００５０】
この態様では、マイクロコントローラは、第１の電極が有効にされ、且つ第２の電極が無効にされているときに、受信サブシステムが閾値より大きい信号を受信した場合に、共有送信サブシステムによって第１の電極を選択的に刺激するように構成することができ、第１の電極が無効にされ、且つ第２の電極が有効にされているときに、受信サブシステムが閾値より大きい信号を受信した場合に、共有送信サブシステムによって第２の電極を選択的に刺激するように構成することができる。
【００５１】
この態様では、第１の電極は、スタイラス本体の第１の端部に位置付けされ、第２の電極は、スタイラス本体の第２の端部に位置付けしてもよい。
【００５２】
この態様では、ディスクリート回路多重化システムは、共有送信サブシステムと第１の電極との間に結合された第１のキャパシタと；第１の電極と第１のキャパシタとの間に位置付けされた第１のノードを接地及び非接地にするように構成された第１のスイッチと；共有送信サブシステムと第２の電極との間に結合された第２のキャパシタと；第１の電極と第１のキャパシタとの間に位置付けされた第２のノードを接地及び非接地にするように構成された第２のスイッチと；をさらに含む。
【００５３】
この態様では、第１の電極を使用する意図のユーザの決定に応じて、マイクロコントローラは、動作時に共有送信サブシステムが第１の電極を刺激するように、第２の電極を無効にし、且つ第１の電極を有効にするように構成され、第２の電極を使用する意図のユーザの決定に応じて、マイクロコントローラは、動作時に共動作時に共有送信サブシステムが第２の電極を刺激するように、第１の電極を無効にし、且つ第２の電極を有効にするように構成される。
【００５４】
この態様では、第１の電極が第２の電極よりも対話型ディスプレイにより近いと判定されたことに応じて、マイクロコントローラは、動作時に共有送信サブシステムが第１の電極を刺激するように、第２の電極を無効にし、且つ第１の電極を有効にするように構成され、第２の電極が第１の電極よりも対話型ディスプレイにより近いと判定されたことに応じて、マイクロコントローラは、動作時に共有送信サブシステムが第２の電極を刺激するように、第１の電極を無効にし、且つ第２の電極を有効にするように構成される。
【００５５】
この態様では、第１の電極は、対話型スタイラスのインク動作モードを提供するように構成してもよく、第２の電極は、対話型スタイラスの消去動作モードを提供するように構成してもよい。
【００５６】
別の態様によれば、第１の電極及び第２の電極を有する対話型スタイラスを操作する方法が提供される。この方法は、第１の電極及び第２の電極に結合された受信サブシステムを介して、活性化閾値を超える信号を受信するステップと；活性化閾値を超えることに応じて、第１の電極及び第２の電極を逆に有効及び無効にするステップと；逆に有効及び無効にするステップの間に、受信サブシステムで受信したレベルを読み取り、第１の電極及び第２の電極のどちらがアクティブ状態であるかを特定するステップと；第１の電極及び第２の電極に結合された共有送信サブシステムからの波形を介して、特定されたアクティブ状態の電極を選択的に刺激するステップと；を含む。
【００５７】
この態様では、特定されたアクティブ状態の電極を選択的に刺激するステップは、特定されたアクティブ状態の電極を有効にし、第１の電極及び第２の電極のうちの他方を無効にするステップを含むことができる。
【００５８】
この態様では、共有送信サブシステムと第１の電極との間に第１のキャパシタが結合され、第１の電極は、第１のキャパシタと第１の電極との間の第１のノードを接地することによって無効にされ、且つ第１のノードをフローティングさせることによって有効にされる。共有送信サブシステムと第２の電極との間に第２のキャパシタが結合され、第２の電極は、第２のキャパシタと第２の電極との間の第２のノードを接地することによって無効にされ、且つ第２のノードをフローティングにさせることによって有効にされる。
【００５９】
この態様では、第１の電極は、対話型スタイラスのインク動作モードを提供するように構成してもよく、第２の電極は、対話型スタイラスの消去動作モードを提供するように構成してもよい。
【００６０】
この態様では、第１の電極は、対話型スタイラスの第１の端部に位置付けしてもよく、第２の電極は、対話型スタイラスの第２の端部に位置付けしてもよい。
【００６１】
この態様では、この方法は、共有送信サブシステムが特定されたアクティブ状態の電極を刺激している間に、受信サブシステムと、第１の電極及び第２の電極との間のスイッチを無効にするステップをさらに含むことができる。
【００６２】
別の態様によれば、対話型スタイラスのディスクリート回路多重化システムが提供される。ディスクリート回路多重化システムは、スタイラス本体と；このスタイラス本体に位置付けされた第１の電極及び第２の電極と；第１の電極及び第２の電極に結合された共有送信サブシステムと；第１の電極と共有送信サブシステムとの間に結合された第１のキャパシタであって、第１のノードが第１のキャパシタと第１の電極との間に位置付けされる、第１のキャパシタと；第２の電極と共有送信サブシステムとの間に結合された第２のキャパシタであって、第２ノードが第２のキャパシタと第２の電極との間に位置付けされる、第２のキャパシタと；第１の電極及び第２の電極に結合された受信サブシステムと；第１の電極及び第２の電極から受信サブシステムで受信した信号に応じて、第１のノード及び第２のノードを選択的に接地及びフローティングさせることにより、共有送信サブシステムから第１の電極及び第２の電極への波形の選択的送信を生じさせ、それにより第１の電極及び第２の電極の一方のみを一度で刺激するように構成されたマイクロコントローラと；を含む。
【００６３】
この態様では、マイクロコントローラは、第１の電極及び第２の電極を逆に接地及びフローティングさせ、そのような逆動作の結果として受信サブシステムで受信した信号に基づいて、第１の電極及び第２の電極のどちらを選択的に刺激するかを決定する。
【００６４】
この態様では、第１の電極は、対話型スタイラスのインク動作モードを提供するように構成してもよく、第２の電極は、対話型スタイラスの消去動作モードを提供するように構成してもよい。
【図１】
0006667523.tif 000002
【図２】
0006667523.tif 000003
【図３】
0006667523.tif 000004
【図４】
0006667523.tif 000005
【図５】
0006667523.tif 000006
【図６】
0006667523.tif 000007